(57)【要約】【課題】  折畳傘の内支骨と連結骨の改良構造を提供する。【解決手段】  内支骨３１は親骨に隣接する連結端の内溝３３底面に、枢軸３４によって連接する連結骨３５の連結構造を収容する透孔３６を設け、連結骨３５の一端と親骨は中間骨と連結する。傘骨枠の開閉時、連結骨３５と内支骨３１の連結端は、溝底の透孔３６が形成した空間内に収容され、回動操作することで、スムーズな操作ができ、また傘を収める際に、該連結端を含む連結骨３５は内支骨３１の溝内に完全に収納することができて、折り畳んだ体積を縮小させることができ、携帯に便利で、収納に空間をとらずにすむ。【選択図】  図４
0003109107.tif 000002
【実用新案登録請求の範囲】
【請求項１】
折畳傘の内支骨と連結骨の改良構造であって、
両端に親骨中段及び下ろくろと連結する連結孔を設けた内支骨と、
該内支骨に形成した内溝の溝底近くの側部に設けた枢軸に回動可能に連結された連結骨とからなり、
該枢軸周りに回動する連結骨連結部に対応して該溝底に透孔を形成して
傘の開閉時に、該連結骨の回動操作を許容し、且つ、傘を折り畳む際には、前記内支骨の前記内溝に該連結部を収納可能としてなることを特徴とする、
折畳傘の内支骨と連結骨の改良構造。
【請求項２】
前記透孔は長方形の透孔であることを特徴とする請求項１記載の折畳傘の内支骨と連結骨の改良構造。
【請求項３】
前記内溝は断面が∪状であることを特徴とする請求項１記載の折畳傘の内支骨と連結骨の改良構造。
【請求項４】
前記連結骨は棒体であり、前記棒体は前記内支骨の前記枢軸に対応して、折り曲がってループを構成することを特徴とする請求項１記載の折畳傘の内支骨と連結骨の改良構造。
【考案の詳細な説明】
【技術分野】
【０００１】
本考案は、折畳傘の内支骨と連結骨の構造改良に関するもので、特に内支骨と連接する連結骨が更にスムーズな操作効果を得ることができ、また折り畳み時の体積を縮小させる効果がある折畳傘の内支骨と連結骨の構造改良に関するものである。
【背景技術】
【０００２】
図１は、公知の折畳傘の傘骨枠と上下ろくろの組立てを示す図である。傘骨枠は、主に親骨及び親骨１１中段と連結する内支骨１２がそれぞれ分かれて上下ろくろ２１，２２と連結しており、内支骨は更に連結骨１３により親骨と中間骨１４と連結し、中間骨は一本或いは複数で連結後、更に先親骨１５と連結して構成されている。図２は、公知の内支骨と連結骨が連結する構造を示しており、内支骨は親骨に隣接する連結端の内溝内に枢軸１６によって連結骨１３の一端と連結している。
【０００３】
上述のような公知の内支骨と連結骨の連結構造は、枢軸に対応する内支骨の溝底一般は封鎖状になっていて、これにより枢軸の位置は溝底から適度に離れていなければならず、さもなければ、連結する連結骨端部は回転する時に溝底に突き当たり、スムーズに回転できなくなり、更に傘の開閉操作の円滑さにも影響があり、欠点の一つとなっている。
【０００４】
上述のように、枢軸の位置は、必ず内支骨の溝底から適度な空間を保っていなければならず、それによって連結骨をスムーズに回転させ、傘の開閉操作の順調さを維持させることができる。ただ、これにより、相対して枢軸上方内溝の収納空間を短縮させ、連結骨は傘を折り合わせる際に内支骨の溝内に完全に収まることができず、図３で示すように、折畳傘を折り畳む状態の体積を比較的大きくさせ、それがもう一つの欠点となっている。
【０００５】
このように、公知の内支骨と連結骨の連結構造は、折畳傘の開閉操作のスムーズさと折り畳み後の体積縮小を同時に兼ね備えることはできないという欠点があった。
【特許文献１】特開平１０−４２９２２号公報
【考案の開示】
【考案が解決しようとする課題】
【０００６】
本考案の目的は、連結骨に対応して連結する内支骨内溝の溝底に開いた空間を形成し、傘の開閉使用がスムーズで、更に優れた操作効果を得られ、また傘を折り畳んで収める際には、連結骨は内支骨溝内に完全に収納でき、折畳傘は体積を比較的小さくして折り畳み収め合わせることができるので、携帯に便利で、空間をとらずに収納できる功能を兼ね備えた折畳傘の内支骨と連結骨の構造改良を提供することである。
【課題を解決するための手段】
【０００７】
上記課題を解決するために、本考案は折畳傘の内支骨と連結骨の構造改良を提供する。それは主に、内支骨が連結する連結骨に対応して溝底に適当な長さの透孔を設け、内支骨の両端はそれぞれ親骨中段及び下ろくろに連結し、連結骨と親骨は中間骨に連結する。こうして、傘の開閉時、連結骨と内支骨の連結端は透孔を通ることができることにより、スムーズで順調な優れた回転効果を得られ、同時に傘を折り畳んで収める際には、体積を縮小させる効果を得て、携帯に便利で収納も空間をとらずにすむことができる。
【考案の効果】
【０００８】
本考案は、内支骨の内溝が枢軸下方に対応して溝底に透孔を設けて、開いた空間を形成することで、連結する連結骨をスムーズに回転させる外に、同時に傘を折り畳んで収める際の体積を縮小する効果があり、使用者は携帯に便利で、収納に空間をとらずにすむという多重の効果を達成することができる。
【考案を実施するための最良の形態】
【０００９】
以下、図に合わせて具体的な実施例を挙げ、本考案の構造内容及びそれにより達成することができる効果を説明する。
【実施例】
【００１０】
図４は、本考案の組立て断面図である。それは主に、内支骨３１の両端にそれぞれ連結孔３２、３２を設け、それにより親骨４０中段及び下ろくろと組み合わされ、内支骨３１中段は断面が∪状の内溝３３を形成し、内溝３３は片側が枢軸３４によって連結骨３５に連結し、枢軸３４に対応して溝底には適当な長さの透孔３６を設け、連結骨３５は棒体となり、枢軸３４に対応して端部は折れ曲がってループ３７になり、枢軸３４が通って組み定まり、また図６で示すように、もう片方の端部は親骨４０と中間骨４１において連結する。
【００１１】
図４で示すように、本考案の内支骨３１が連結する連結骨３５に対応して内溝３３の底面に透孔３６を設けることにより、枢軸３４を溝底近くの位置に設けることができ、また相対して枢軸３４上方内溝３３の収納空間を大きくし、連結骨３５のループ３７が枢軸３４の周りに回動する時、溝底に対応して設けた透孔３６が開いた空間を形成することで、連結骨３５をスムーズに回転させ、傘の開閉時に更に順調な操作効果を得ることができる。
【００１２】
また、図５、７で示すように、本考案の内支骨３１は枢軸３４上方の内溝３３の収納空間に対応して拡大され、傘本体が折り畳んで収まった状態の時、連結骨３５は内溝３３内に完全に収納され、折り畳んだ状態の体積を縮小させる効果があり、また使用者が携帯するのに便利で、収納に嵩張らずにすむ。
【００１３】
本考案では好適な実施形態を前述の通り開示したが、これらは決して本考案を限定するものではなく、当該技術を熟知するものなら誰でも、本考案の精神と領域を脱しない範囲内で各種の変動や潤色を加えることができる。従って本考案の保護の範囲は、実用新案登録請求の範囲で指定した内容を基準とする。
【図面の簡単な説明】
【００１４】
【図１】公知折畳傘の傘骨枠全体の構造図である。
【図２】公知の組立てを開いた実施例を示した図である。
【図３】公知の組立てを折り畳んだ実施例を示した図である。
【図４】本考案を開いた断面図である。
【図５】本考案を折り畳んだ断面図である。
【図６】本考案の組立てを開いた実施例を示す図である。
【図７】本考案の組立ての傘骨を折り畳んだ実施例を示す図である。
【符号の説明】
【００１５】
１０        傘骨枠
１１、４０  親骨
１２、３１  内支骨
２１        上ろくろ
２２        下ろくろ
１３、３５  連結骨
１４，４１  中間骨
１５        先親骨
１６、３４  枢軸
３２        連結孔
３３        内溝
３６        透孔
３７        ループ
【図１】
0003109107.tif 000003
【図２】
0003109107.tif 000004
【図３】
0003109107.tif 000005
【図４】
0003109107.tif 000006
【図５】
0003109107.tif 000007
【図６】
0003109107.tif 000008
【図７】
0003109107.tif 000009